(57)【要約】【課題】医療機器と管理装置間等の通信網の確立等を容易且つ簡易に行うことができる医療機器通信管理システムを提供すること。【解決手段】医療機器１０と着脱するための着脱部３３と、自己を識別するための医療機器通信装置用識別情報３０ａを格納する医療機器通信装置用識別情報格納部と、他の機器と通信するための医療機器通信装置用送受信部３２と、を有する医療機器通信装置と、医療機器通信装置用識別情報を取得するための識別情報取得部８２と、識別情報取得部で取得した医療機器通信装置用識別情報を管理装置５０に送信するための識別情報送信部８３と、を有する識別情報読取装置８０と、を有し、管理装置は、受信した医療機器通信装置用識別情報に基づき、当該医療機器通信装置との通信網を形成する構成となっている医療機器通信管理システム１。【選択図】図１
2011065481.tif 000002
【特許請求の範囲】
【請求項１】
医療機器と着脱するための着脱部と、
自己を識別するための医療機器通信装置用識別情報を格納する医療機器通信装置用識別情報格納部と、
他の機器と通信するための医療機器通信装置用送受信部と、を有する医療機器通信装置と、
前記医療機器通信装置用識別情報を取得するための識別情報取得部と、
前記識別情報取得部で取得した前記医療機器通信装置用識別情報を管理装置に送信するための識別情報送信部と、を有する識別情報読取装置と、を有し、
前記管理装置は、受信した前記医療機器通信装置用識別情報に基づき、当該医療機器通信装置との通信網を形成する構成となっていることを特徴とする医療機器通信管理システム。
【請求項２】
前記医療機器を使用する対象者を識別する対象者識別情報を格納する対象者識別情報格納部と、
前記医療機器を識別するための医療機器識別情報を格納する医療機器識別情報格納部と、を有し、
前記識別情報読取装置の前記識別情報取得部が前記対象者識別情報及び前記医療機器識別情報を取得し、前記医療機器通信装置用識別情報と共に前記管理装置に送信し、
前記管理装置が、前記医療機器通信装置用識別情報を前記対象者識別情報及び前記医療機器識別情報と関連付けると共に、これら関連付けられた関連識別情報が、前記管理装置から当該医療機器通信装置用識別情報に対応する前記医療機器通信装置に送信され、
前記医療機器通信装置は、前記医療機器通信装置用送受信部を介して、前記医療機器から医療機器情報を取得すると共に、この医療機器情報を、前記管理装置から受信した前記関連識別情報と共に、前記管理装置に送信する構成となっていることを特徴とする請求項１に記載の医療機器通信管理システム。
【請求項３】
前記管理装置は、情報を表示するための表示部を有し、
前記医療機器通信装置から受信した前記関連情報と関連付けて、前記医療機器情報を記憶すると共に、前記医療機器情報を前記表示部に表示することを特徴とする請求項２に記載の医療機器通信管理システム。
【請求項４】
前記管理装置は、前記医療機器情報を提供する部門管理装置と通信可能に接続され、
前記管理装置は、前記部門管理装置からの要求に応じて、前記医療機器情報及び／又は前記関連情報を前記部門管理装置に送信することを特徴とする請求項２又は請求項３に記載の医療機器通信管理システム。
【発明の詳細な説明】
【技術分野】
【０００１】
本発明は、例えば、対象となる医療機器が他の機器等と通信するための医療機器通信管理システムに関するものである。
【背景技術】
【０００２】
従来より、医療過誤等を防ぐため、医療機器に関連するデータを一意的に識別するためのシステム等が提案されている（例えば、特許文献１）。
また、医療機器を使用する対象の患者であるか否かを確認するため、対象の患者の識別情報を確認する手法も採用されている。
具体的には、病院内に通信ネットワーク網を構築し、これにオーダリングシステム（検査や処方等に関する情報伝達システム）を動作させる。そして、このオーダリングシステムで作成された処方データ等が院内ネットワークを経由して、医療機器通信サーバ等に送信され、この医療機器通信サーバ等から個々の医療機器、例えば輸液ポンプや人工呼吸器等に送信される。
このため、医療機器は、患者の識別情報を取得して、当該処方データの対象となっている患者であるか否かを判断でき、これにより、患者の間違い等を防止する構成となっている。
【先行技術文献】
【特許文献】
【０００３】
【特許文献１】特表２００５−５２３７９３号公報
【発明の概要】
【発明が解決しようとする課題】
【０００４】
しかし、医療機器は、各製造会社により、または機種により独特の通信システム等を搭載している。このため、患者の識別情報等を取得するために、既に配置されている医療機器を院内ネットワークに繋げるには、それぞれの医療機器の異なる通信システム等を統一させる等の工事等が必要となる。
すなわち、専用の通信網を形成しなければならず、また、特定の通信システムを利用できるようにするため、各医療機器を変更する必要がある。そして、このための費用は莫大となるため容易にかかるシステムを導入することはできないという問題があった。
【０００５】
そこで、本発明は、このような問題点に鑑みてなされ、医療機器と管理装置間等の通信網の確立等を容易且つ簡易に行うことができる医療機器通信管理システムを有することを目的とする。
【課題を解決するための手段】
【０００６】
前記課題は、本発明によれば、医療機器と着脱するための着脱部と、自己を識別するための医療機器通信装置用識別情報を格納する医療機器通信装置用識別情報格納部と、他の機器と通信するための医療機器通信装置用送受信部と、を有する医療機器通信装置と、前記医療機器通信装置用識別情報を取得するための識別情報取得部と、前記識別情報取得部で取得した前記医療機器通信装置用識別情報を管理装置に送信するための識別情報送信部と、を有する識別情報読取装置と、を有し、前記管理装置は、受信した前記医療機器通信装置用識別情報に基づき、当該医療機器通信装置との通信網を形成する構成となっていることを特徴とする医療機器通信管理システムにより達成される。
【０００７】
前記構成によれば、医療機器と着脱するための着脱部と、自己を識別するための医療機器通信装置用識別情報を格納する医療機器通信装置用識別情報格納部と、他の機器と通信するための医療機器通信装置用送受信部と、を有する医療機器通信装置と、医療機器通信装置用識別情報を取得するための識別情報取得部と、識別情報取得部で取得した医療機器通信装置用識別情報を管理装置に送信するため識別情報送信部と、を有する識別情報読取装置と、を有し、前記管理装置は、受信した前記医療機器通信装置用識別情報に基づき、当該医療機器通信装置との通信網を形成する構成となっている。
すなわち、医療機器通信装置は、着脱部を有しているので、既存の医療機器にこの着脱部を用いて装着することができる。また、識別情報読取装置の識別情報取得部で、医療機器通信装置用識別情報を取得し、この識別情報を管理装置に送信し、管理装置は、この識別情報に基づいて当該医療機器通信装置との通信網を形成する構成となっている。
したがって、例えば、病院内で既存の医療機器が多く存在する場合でも、各医療機器に医療機器通信装置を装着するだけで、管理装置との通信が可能となり、極めて低コストで病院内の通信網を構築することができる。
【０００８】
好ましくは、前記医療機器を使用する対象者を識別する対象者識別情報を格納する対象者識別情報格納部と、前記医療機器を識別するための医療機器識別情報を格納する医療機器識別情報格納部と、を有し、前記識別情報読取装置の前記識別情報取得部が前記対象者識別情報及び前記医療機器識別情報を取得し、前記医療機器通信装置用識別情報と共に前記管理装置に送信し、前記管理装置が、前記医療機器通信装置用識別情報を前記対象者識別情報及び前記医療機器識別情報と関連付けると共に、これら関連付けられた関連識別情報が、前記管理装置から当該医療機器通信装置用識別情報に対応する前記医療機器通信装置に送信され、前記医療機器通信装置は、前記医療機器通信装置用送受信部を介して、前記医療機器から医療機器情報を取得すると共に、この医療機器情報を、前記管理装置から受信した前記関連識別情報と共に、前記管理装置に送信する構成となっていることを特徴とする医療機器通信管理システムである。
【０００９】
前記構成によれば、識別情報読取装置の識別情報取得部が対象者識別情報及び医療機器識別情報を取得し、医療機器通信装置用識別情報と共に管理装置に送信する。このため、管理装置は、医療機器、それを使用する患者及び医療機器に装着されている医療機器通信装置の各識別情報を取得することができる。
また、前記構成によれば、管理装置が、医療機器通信装置用識別情報を対象者識別情報及び医療機器識別情報と関連付けると共に、これら関連付けられた関連識別情報が、管理装置から当該医療機器通信装置用識別情報に対応する医療機器通信装置に送信される。
このため、管理装置において、医療機器通信装置用識別情報、対象者識別情報及び医療機器識別情報は、関連付けられると共に、この関連付けられた関連情報が一体となって、当該医療機器通信装置に送信される。
【００１０】
また、前記構成によれば、医療機器通信装置は、医療機器通信装置用送受信部を介して、医療機器から医療機器情報を取得すると共に、この医療機器情報を、管理装置から受信した関連識別情報と共に、管理装置に送信する構成となっている。
すなわち、医療機器通信装置は、医療機器、例えば輸液ポンプ等から取得した輸液ポンプの動作情報等の医療機器情報を取得すると共に、この取得した医療機器情報を、管理装置が受信した関連情報と共に管理装置に送信する構成となっている。
このため、管理装置は、医療機器の動作情報等の医療機器情報を、当該医療機器の医療機器識別情報、患者等の対象者の対象者識別情報及び医療機器通信装置用識別情報と共に取得することができる。
したがって、管理装置は、これらの医療機器情報等を関連付けて一体として管理することができ、関係者にとって使い易い情報となる。
【００１１】
好ましくは、前記管理装置は、情報を表示するための表示部を有し、前記医療機器通信装置から受信した前記関連情報と関連付けて、前記医療機器情報を記憶すると共に、前記医療機器情報を前記表示部に表示することを特徴とする医療機器通信管理システムである。
【００１２】
前記構成によれば、管理装置は、情報を表示するための表示部を有し、医療機器通信装置から受信した関連情報と関連付けて、医療機器情報を記憶すると共に、医療機器情報を表示部に表示する構成となっている。
このため、管理装置は、関連情報と関連付けられて記憶された医療機器情報を表示部に表示することができ、使用者等は、輸液ポンプの動作情報等の医療機器情報をモニターすることができる。
【００１３】
好ましくは、前記管理装置は、前記医療機器情報を提供する部門管理装置と通信可能に接続され、前記管理装置は、前記部門管理装置からの要求に応じて、前記医療機器情報及び／又は前記関連情報を前記部門管理装置に送信することを特徴とする医療機器通信管理システムである。
【００１４】
前記構成によれば、管理装置は、医療機器情報を提供する部門管理装置と通信可能に接続され、管理装置は、部門管理装置からの要求に応じて、医療機器情報及び／又は関連情報を部門管理装置に送信する。
このため、部門管理装置は、必要な医療機器情報及び／又は関連情報を迅速に管理装置から取得することができる。
【発明の効果】
【００１５】
本発明は、医療機器と管理装置間等の通信網の確立等を容易且つ簡易に行うことができる医療機器通信管理システムを提供することができるという利点がある。
【図面の簡単な説明】
【００１６】
【図１】本発明の実施の形態に係る医療機器通信管理システムを示す概略図である。
【図２】図１のバーコードリーダの主な構成を示す概略ブロック図である。
【図３】（ａ）は、図１の輸液ポンプの主な構成を示す概略ブロック図であり、（ｂ）は、図１の人工呼吸器の主な構成を示す概略ブロック図である。
【図４】図１の医療機器通信装置の主な構成を示す概略ブロック図である。
【図５】図１のデータ管理部装置の主な構成を示す概略ブロック図である。
【図６】本実施の形態に係る医療機器通信管理システムの主な動作等を示す概略フローチャートである。
【図７】本実施の形態に係る医療機器通信管理システムの主な動作等を示す他の概略フローチャートである。
【発明を実施するための形態】
【００１７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明の実施の形態に係る医療機器通信管理システム１を示す概略図である。図１に示すように、医療機器通信管理システム１は医療機器である例えば、輸液ポンプ１０や人工呼吸器２０を有している。
輸液ポンプ１０は、薬剤等を患者に点滴で投与する際、その点滴量を正確に制御する医療機器であり、人工呼吸器２０は、長期間にわたり呼吸補助を可能にする医療機器である。
輸液ポンプ１０や人工呼吸器２０は、これら輸液ポンプ１０や人工呼吸器２０を識別するための医療機器識別情報である輸液ポンプ識別用バーコード１０ａや人工呼吸器識別用バーコード２０ａを有している。
なお、このバーコードは、例えば、シール状部材上に形成されているので、このシール状部材が医療機器識別情報格納部の一例となっている。
この輸液ポンプ識別用バーコード１０ａ等は、例えば、輸液ポンプ１０等の製造販売時に付加されたロット番号またはシリアル番号、若しくは輸液ポンプ１０等を所有する病院または診療所などの所有者等が独自に設定した識別情報である。
【００１９】
また、図１の医療機器通信管理システム１では、輸液ポンプ１０や人工呼吸器２０に、それぞれ医療機器通信装置３０が接続されている。
これら医療機器通信装置３０は、輸液ポンプ１０や人工呼吸器２０にそれぞれ着脱可能な構成となっている。この着脱可能な構成については後述する。
これら医療機器通信装置３０も、医療機器通信装置３０を識別するための医療機器通信装置用識別情報である医療機器通信装置用バーコード３０ａ、３０ｂを有している。なお、このバーコードは、例えば、シール状部材上に形成されているので、このシール状部材が医療機器通信装置用識別情報格納部の一例となっている。
これら医療機器通信装置用バーコード３０ａ、３０ｂは、例えば、輸液ポンプ１０等ごとに付与されるＩＤである。
【００２０】
また、図１に示すように、対象者である例えば、患者も対象者識別情報である患者識別用バーコード３ａが表示されている対象者識別情報格納部であるシール状部材を所持している。
この患者識別用バーコード３ａは、例えば、輸液ポンプ１０等の医療機器を使用する患者毎に付与される個人ＩＤ又は患者氏名等である。
この患者識別用バーコード３ａが示されたシール状部材は、タグ等に貼付され患者の身体又は患者の識別が保証できる箇所に装着又は設置される。
【００２１】
また、図１に示すように、医療機器通信管理システム１には、管理装置である例えば、データ管理部装置５０を有し、このデータ管理部装置５０には、識別情報読取装置である例えば、バーコードリーダ８０が接続されている。図１では、有線による接続の例を示したが、無線により接続されていても構わない。
バーコードリーダ８０は、患者識別用バーコード３ａ、輸液ポンプ識別用バーコード１０ａ、人工呼吸器識別用バーコード２０ａのバーコード情報を読み取り、そのバーコード情報をデータ管理部装置５０に送信する構成となっている。このバーコードリーダ８０の詳細な構成については後述する。
データ管理部装置５０は、このようにバーコードリーダ８０と通信可能となっていると共に、医療機器通信装置３０とも、無線通信可能な構成となっている。本実施の形態と異なり、医療機器通信装置３０とデータ管理部装置５０が、有線で通信する構成としても構わない。
【００２２】
また、図１に示すように、データ管理部装置５０は、部門管理装置である例えば、部門システム（Ａ）９０ａ及び部門システム（Ｂ）９０ｂと、例えば院内ＬＡＮ等の有線で接続されている。なお、本実施の形態では、有線通信としたが、この接続は、無線通信（特に赤外線による無線通信）でも構わず、これらを選択する構成としても構わない。
【００２３】
図１の輸液ポンプ１０、医療機器通信装置３０、バーコードリーダ８０、人工呼吸器２０、データ管理部装置５０、部門システム（Ａ）９０ａ及び部門システム（Ｂ）９０ｂは、それぞれ、コンピュータを有している。
このコンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して配置されている。
このバスは、すべてのデバイスを接続する機能を有し、アドレスやデータパスを有する内部パスである。ＣＰＵは所定のプログラムの処理を行う他、バスに接続されたＲＯＭ等を制御している。ＲＯＭは、各種プログラムや各種情報等を格納している。ＲＡＭは、プログラム処理中のメモリの内容を対比したり、プログラムを実行するためのエリアとしての機能を有する。
【００２４】
図２は、図１のバーコードリーダ８０の主な構成を示す概略ブロック図である。図２に示すように、バーコードリーダ８０は、バーコード読取装置制御部８１を有し、このバーコード読取制御部８１には、図１の患者識別用バーコード３ａ等のバーコードを読み取るための識別情報取得部である例えば、バーコード読取装置８２が接続されている。
また、バーコード読取装置８２で読み取ったバーコード情報を、図１のデータ管理部装置５０に送信するための識別情報送信部である例えば、バーコード読取装置側送受信装置８３もバーコード読取装置制御部８１に接続されている。
このバーコード読取装置側送受信装置８３には、データ管理部装置５０等と通信するためのバーコード読取装置側アンテナ８３ａが接続されている。
なお、本実施の形態では、バーコードリーダ８０とデータ管理部装置５０とは、無線で通信する構成となっているが、有線で通信する構成としてもよく、これらを選択できる構成としてもよい。
【００２５】
図３（ａ）は、図１の輸液ポンプ１０の主な構成を示す概略ブロック図である。図３（ａ）に示すように、輸液ポンプ１０は、輸液ポンプ制御部１１を有し、輸液ポンプ本体１２及び輸液ポンプ動作情報記憶部１３が接続されている。この輸液ポンプ動作情報としては、例えば、輸液ポンプ１０の動作（事象）ログ，メンテナンス情報，警報情報等である。
また、図３（ｂ）は、図１の人工呼吸器２０の主な構成を示す概略ブロック図である。図３（ｂ）に示すように、人工呼吸器２０は、人工呼吸器制御部２１を有し、人工呼吸本体２２及び人工呼吸器動作情報記憶部２３が接続されている。
【００２６】
図４は、図１の医療機器通信装置３０の主な構成を示す概略ブロック図である。図４に示すように、医療機器通信装置３０は、医療機器送信装置制御部３１を有し、医療機器通信装置側送受信装置３２と接続されている。
この医療機器通信装置側送受信装置３２には、医療機器通信装置側アンテナ３２ａが接続され、これら医療機器通信装置側送受信装置３２及び医療機器通信装置側アンテナ３２ａが、医療機器通信装置用送受信部の一例となっている。
また、医療機器通信装置側送受信装置３２には、輸液ポンプ１０や人工呼吸器２等の医療機器と着脱するための着脱部である例えば、医療機器接続装置３３が接続されている。
このため、医療機器接続装置３３を用いることで輸液ポンプ１０等に容易に着脱ができると共に、装着した際は、医療機器通信装置３０は、輸液ポンプ１０等と直ちに通信可能となる。
【００２７】
図５は、図１のデータ管理部装置５０の主な構成を示す概略ブロック図である。図５に示すように、データ管理部装置５０は、データ管理部装置制御部５１を有し、このデータ管理部装置制御部５１は、他の機器等と通信するためのデータ管理部装置側送受信装置５２と接続されている。
このデータ管理部装置側送受信装置５２には、データ管理部装置側アンテナ５２ａが接続されている。
また、データ管理部装置制御部５１には、必要に応じて、表示部であるディスプレイ５３や入力終了ボタン５４等が接続される。
【００２８】
図６及び図７は、本実施の形態に係る医療機器通信管理システム１の主な動作等を示す概略フローチャートである。
以下、図６及び図７のフローチャートに沿って、医療機器通信管理システム１の動作等を説明しながら図２乃至図５の各構成等についても説明する。
先ず、例えば、病院のナースセンターで、看護師は図１の患者３に人工呼吸器２０を設置し、点滴をするため、人工呼吸器２０と輸液ポンプ１０、データ管理部装置５０及びバーコードリーダ８０を用意する。
また、輸液ポンプ１０と人工呼吸器２０は、それぞれ図１の医療機器通信装置３０、３０が装着されている。
具体的には、図４の医療機器接続装置３３が、それぞれ輸液ポンプ１０と人工呼吸器２０に接続される。なお、これら医療機器通信装置３０、３０には、それぞれ、医療機器通信装置用バーコード３０ａ、３０ｂが配置されている。そして、看護師は、これらを患者３のベッドサイドまで運ぶ。
【００２９】
次に、図６のＳＴ１へ進む。ＳＴ１では、看護師がバーコードリーダ８０のスイッチ（図示せず）を入れ、ＯＮ状態とする。これにより、バーコードリーダ８０のバーコード読取装置８２が起動させられる。
次いで、ＳＴ２へ進む。ＳＴ２では、図２のバーコード読取装置８２が、患者３の患者識別用バーコード３ａ、輸液ポンプ１０の輸液ポンプ識別用バーコード１０ａ，輸液ポンプ１０に接続されている医療機器通信装置３０の医療機器通信用バーコード３０ａを読み取る。そして、読み取ったバーコードの情報を図２のバーコード読取装置側送受信装置８３及びバーコード読取装置側アンテナ８３ａを介して、図１のデータ管理部装置５０へ送信する。
次いで、ＳＴ３へ進む。ＳＴ２と同様に、図２のバーコード読取装置８２が、患者３の患者識別用バーコード３ａ、人工呼吸器２０の人工呼吸器識別用バーコード２０ａ，人工呼吸器２０に接続されている医療機器通信装置３０の医療機器通信用バーコード３０ｂを読み取る。そして、読み取ったバーコードの情報を図２のバーコード読取装置側送受信装置８３及びバーコード読取装置側アンテナ８３ａを介して、図１のデータ管理部装置５０へ送信する。
このようにして、患者データとそれぞれの医療機器の情報を１つずつ対応させて、別々にデータ管理部装置５０へ送信するようにしている。なお、ＳＴ２とＳＴ３は順序が逆になってもよい。
【００３０】
次いで、ＳＴ４へ進む。ＳＴ４では、図５のデータ管理部装置５０が、ＳＴ２でバーコードリーダ８０から送信された各バーコード情報を、データ管理部装置側送受信装置５２等で受信した後、暫定受信識別情報記憶部５５に記憶する。バーコード読取装置８２がデータを送信し、データ管理部装置５０が受信した時点で通信網形成に入るため、通常の仕様では、入力終了ボタン５４は不要となる。
【００３１】
次いで、ＳＴ５に進む。ＳＴ５では、データ管理部装置５０は、暫定受信識別情報記憶部５５に記憶されているバーコードデータを関連付け、関連情報である例えば関連受信識別情報として、図５の関連受信識別情報記憶部５７に記憶させる。具体的には、図５の識別情報関連付け部（プログラム）５８が動作して、実行する。
【００３２】
次いで、ＳＴ６へ進む。ＳＴ６では、図５の通信装置識別情報判断部（プログラム）５９が動作して、関連受信識別情報記憶部５７内の各バーコードデータから医療機器通信装置３０、３０のバーコードデータを探し、医療機器通信装置３０、３０を特定する。
具体的には、例えば、バーコードデータで表される数字データを、図示しない、参照データと照合して判断する。
【００３３】
本実施の形態では、図１の輸液ポンプ３０に接続されている医療機器通信装置３０と人工呼吸器２０に接続されている医療機器通信装置３０の２つが特定されることになる。
【００３４】
次いで、ＳＴ７へ進む。ＳＴ７では、図５の無線通信網形成部（プログラム）６０が動作し、データ管理部装置５０は、データ管理部装置側送受信装置５２等を介して、ＳＴ６で特定した２つ医療機器通信装置３０、３０と無線通信網を形成する。
【００３５】
次いで、ＳＴ８へ進む。ＳＴ８では、関連受信識別情報送信部（プログラム）６１が動作して、データ管理部装置５０が、赤外線等による無線通信網が形成された２つの医療機器通信装置３０、３０に、関連受信識別情報記憶部５７に記憶されている関連受信識別情報であるバーコードデータを送信する。
すなわち、図１の輸液ポンプ１０，輸液ポンプ１０に接続された医療機器通信装置３０，人工呼吸器２０，人工呼吸器２０に接続された医療機器通信装置３０のそれぞれに、バーコードデータが送信される。
このように、各医療機器通信装置３０、３０には、患者３に対して同時に使用されている輸液ポンプ１０等の医療機器の情報が一括し、関連付けて送信される。
【００３６】
次いで、ＳＴ９へ進む。ＳＴ９では、２つの医療機器通信装置３０、３０が、データ管理部装置５０から受信した関連受信識別情報を図４の通信装置側関連受信識別情報記憶部３４に記憶する。具体的には、関連受信識別情報である患者３、輸液ポンプ１０、人工呼吸器２０及び２つの医療機器通信装置３０、３０のバーコードデータが通信装置側関連受信識別情報記憶部３４に記憶される。
【００３７】
次いで、ＳＴ１０へ進む。ＳＴ１０では、図４の医療機器動作情報取得部（プログラム）３５が動作し、２つの医療機器通信装置３０、３０は、それぞれ、輸液ポンプ１０、人工呼吸器２０から、それらの機器の動作ログ等の動作情報を取得し、図４の医療機器情報記憶部３６に記憶される。
【００３８】
次いで、ＳＴ１１へ進む。ＳＴ１１では、図４のデータ管理部送信用情報生成部（プログラム）３７が動作し、医療機器情報記憶部３６の輸液ポンプ１０又は人工呼吸器２０の動作情報等のデータに、患者３、輸液ポンプ１０、人工呼吸器２０、２つの医療機器通信装置３０のバーコードデータを付加して、データ管理部送信用情報を生成し、図４のデータ管理部送信用情報記憶部３８に記憶する。
すなわち、データ管理部送信用情報には、患者３や各機器のバーコードデータと輸液ポンプ１０又は人工呼吸器２０の動作ログ等の動作情報が関連付けられて記憶される。
【００３９】
次いで、ＳＴ１２へ進む。ＳＴ１２では、２つの医療機器通信装置３０、３０は、データ管理部送信用情報記憶部３８内のデータを医療機器通信装置側送受信装置３２等を介して、データ管理部装置５０へ送信する。
【００４０】
次いで、ＳＴ１３へ進む。ＳＴ１３では、データ管理部装置５０が、２つの医療機器通信装置３０、３０から受信したデータ管理部送信用情報を図５のデータ管理部装置側データ管理部送信用情報記憶部６２に記憶する。このとき、送信元の医療機器通信装置３０、３０のバーコードデータ毎にデータ管理部送信用情報を管理する。
【００４１】
次いで、ＳＴ１４では、図５の医療機器特定部（プログラム）６３が動作し、データ管理部装置側データ管理部送信用情報のうち、輸液ポンプ１０及び／又は人工呼吸器２０の動作情報等のデータをディスプレイ５３に表示する。
このとき、ディスプレイ５３には、例えば、輸液ポンプ１０である旨の表示の後、輸液ポンプの動作情報が表示され、また、人工呼吸器２０である旨の表示の後、人工呼吸器２０の動作情報が表示される。
したがって、看護師等は、当該患者３に使用した輸液ポンプ１０や人工呼吸器２０の動作情報をディスプレイ５３で視認し、確認することができる。
【００４２】
次いで、ＳＴ１５へ進む。ＳＴ１３で、データ管理部装置側データ管理部送信用情報である、患者３や機器のバーコードデータと、輸液ポンプ１０又は人工呼吸器２０の動作情報等は、送信元の医療機器通信装置３０のバーコードデータ毎に管理されている。
このため、ＳＴ１５で、図１の部門システム（Ａ）９０ａや部門システム（Ｂ）９０ｂから輸液ポンプ１０や人工呼吸器２０の動作情報について取得要求があった場合は、データ管理部装置５０は、その要求に従い、データ管理部装置側データ管理部送信用情報から、当該要求に合致した輸液ポンプ１０及び／又は人工呼吸器２０の医療機器通信装置３０、３０のバーコードデータをキーに輸液ポンプ１０及び／又は人工呼吸器２０の動作情報等を抽出し、部門システム（Ａ）９０ａ等に送信する。
具体的には、部門システム（Ａ）９０ａ等からの情報取得要求は、図５の部門システム指示情報記憶部６４に記憶され、このデータに基づき、図５の部門システム指示判断部（プログラム）６５が動作して、求められているデータを、データ管理部装置側データ管理部送信用情報記憶部６２から抽出して、部門システム（Ａ）９０ａ等に送信する。
【００４３】
例えば、部門システム（Ａ）９０ａが輸液ポンプ１０及び人工呼吸器２０のデータを要求しており、部門システム（Ｂ）９０ｂが人工呼吸器２０のデータのみを要求していた場合は、その要求に従い、求められたデータを送信する。なお、データ管理部装置５０が部門システム（Ａ）９０ａ等にデータを送信するときは、一般的な形式のＨＬ７やＤＩＣＯＭに変換して送信する。
【００４４】
以上のように本実施の形態では、病院内で既に多くの輸液ポンプ１０や人工呼吸器２０等の医療機器が存在し、これらをデータ管理部装置５０と通信ネットワークに接続しようとした場合でも、医療機器通信装置３０をその医療機器接続装置３３を介して、当該医療機器に接続するだけで、通信が可能となる。
したがって、従来のように、個々の医療機器について大幅な構成の変更等をする必要がなく、通信網を構築するために莫大な費用を必要としない極めて低コストのシステムとなる。
【００４５】
また、本実施の形態では、患者３や機器等にバーコードデータと、輸液ポンプ１０等の動作情報が関連付けて一体として管理されている。したがって、極めて使い易いデータとなる。
【００４６】
本発明は、上述の各実施の形態に限定されない。上述の各実施の形態では、医療機器として輸液ポンプ装置を例に説明したが、本発明はこれに限らず、シリンジポンプ等でも構わない。
また、本実施の形態では、各識別情報として、バーコードを用いたが、バーコードの代わりにＩＣタグ（ＲＦＩＤ）を用いても構わない。
また、各識別情報は、本実施の形態では、機器の外部に配置されているが、ＩＣタグではこれと異なり、機器の内部に取り付けられても構わない。
【符号の説明】
【００４７】
１・・・医療機器通信管理システム、３・・・患者、３ａ・・・患者識別用バーコード、１０データ管理部装置、４・・・部門システム、５・・・患者、１０・・・輸液ポンプ、１０ａ・・・輸液ポンプ識別用バーコード、１１・・・輸液ポンプ制御部、１２・・・輸液ポンプ本体、１３・・・輸液ポンプ動作情報記憶部、２０・・・人工呼吸器、２０ａ・・・人工呼吸器識別用バーコード、２１・・・人工呼吸器制御部、２２・・・人工呼吸本体、２３・・・人工呼吸器動作情報記憶部、３０・・・医療機器通信装置、３０ａ・・・医療機器通信装置用バーコード、３１・・・医療機器送信装置制御部、３２・・・医療機器通信装置側送受信装置、３２ａ・・・医療機器通信装置側アンテナ、３３・・・医療機器接続装置、３４・・・通信装置側関連受信識別情報記憶部、３５・・・医療機器動作情報取得部（プログラム）、３６・・・医療機器情報記憶部、３７・・・データ管理部送信用情報生成部（プログラム）、３８・・・データ管理部送信用情報記憶部、５０・・・データ管理部装置、５１・・・データ管理部装置制御部、５２・・・データ管理部装置側送受信装置、５２ａ・・・データ管理部装置側アンテナ、５３・・・ディスプレイ、５４・・・入力終了ボタン、５５・・・暫定受信識別情報記憶部、５６・・・識別情報入力終了判断部（プログラム）、５７・・・関連受信識別情報記憶部、５８・・・識別情報関連付け部（プログラム）、５９・・・通信装置識別情報判断部（プログラム）、６０・・・無線通信網形成部（プログラム）、６１・・・関連受信識別情報送信部（プログラム）、６２・・・データ管理部装置側データ管理部送信用情報記憶部、６３・・・医療機器特定部（プログラム）、６４・・・部門システム指示情報記憶部、６５・・・部門システム指示判断部（プログラム）、８０・・・バーコードリーダ、８１・・・バーコード読取装置制御部、８２・・・バーコード読取装置、８３・・・バーコード読取装置側送受信装置、８３ａ・・・バーコード読取装置側アンテナ、９０ａ・・・部門システム（Ａ）、９０ｂ・・・部門システム（Ｂ）
【図１】
2011065481.tif 000003
【図２】
2011065481.tif 000004
【図３】
2011065481.tif 000005
【図４】
2011065481.tif 000006
【図５】
2011065481.tif 000007
【図６】
2011065481.tif 000008
【図７】
2011065481.tif 000009